(57)【要約】【課題】薄型テレビジョンを意図する箇所に転倒を防止できるように簡易に載置することができる薄型テレビジョンを提供する。【解決手段】画像表示面を有する表示部と、該表示部を起立状態で支持するスタンド２とを備え、該スタンド２を支持すべき支持体３が備える転倒防止軸３２が嵌入される孔２３、及び支持体３と向合うべき面が外部に開放されている収容部２１ｄをスタンド２に設け、前記収容部２１ｄに磁石５を固定し、該磁石５の磁力により転倒防止軸３２を吸着するようにした。【選択図】図５
2008294979.tif 000002
【特許請求の範囲】
【請求項１】
画像表示面を有する表示部と、該表示部を起立状態で支持するスタンドとを備えた薄型テレビジョンにおいて、前記スタンドは、該スタンドを支持すべき支持体が備える転倒防止軸が嵌入される孔を有することを特徴とする薄型テレビジョン。
【請求項２】
前記スタンドは、前記支持体と向合うべき面が外部に開放されている収容部を有し、該収容部に磁石を固定してある請求項１記載の薄型テレビジョン。
【請求項３】
前記磁石は前記面と離隔する方向への移動を可能にしてある請求項２記載の薄型テレビジョン。
【請求項４】
前記収容部は前記磁石を磁力で固定する磁性部を有し、該磁性部及び前記磁石の間に、工具の差込みが可能な凹所を設けてある請求項３記載の薄型テレビジョン。
【請求項５】
前記磁石は前記孔の縁周りに固定してある請求項２乃至４のいずれか一つに記載の薄型テレビジョン。
【請求項６】
前記スタンドが載置される載置板部及び該載置板部から前記表示部側へ立上がり、且つその軸長方向の中途に係止部が設けられている転倒防止軸を有し、前記スタンドを支持する支持体を備え、前記係止部に係止され、前記転倒防止軸が前記孔から抜出るのを阻止する阻止部材を備える請求項５記載の薄型テレビジョン。
【請求項７】
前記磁石は、前記転倒防止軸の軸長方向と交差する方向へ延出されている筒体と、該筒体内に長手方向への相対移動を可能に螺着されている螺子軸とを有し、前記転倒防止軸は前記磁石の前記軸長方向への移動を止める係止部を有する請求項５記載の薄型テレビジョン。
【発明の詳細な説明】
【技術分野】
【０００１】
本発明は液晶テレビジョン、プラズマテレビジョン等の薄型テレビジョンに関する。
【背景技術】
【０００２】
薄型テレビジョンは、略直方形をなす表示部と、該表示部を起立状態で支持するスタンドとを備える。このようにスタンドが表示部を起立状態で支持する薄型テレビジョンにあっては、地震による転倒を防ぐための転倒防止手段が設けられている。例えば、特許文献１に記載されている薄型テレビジョンは、略直方形をなす表示部の底面又は後面に磁石シートを貼付け、磁性を有する支持台、壁体に吸着させることにより転倒を防止するように構成されている。
【０００３】
また、バンド形状の転倒防止具をスタンドに螺子止めし、該転倒防止具の中途を支持台等に螺子止めすることにより転倒を防止するように構成された薄型テレビジョンも知られている。
【特許文献１】実開平３−３６２８０号公報
【発明の開示】
【発明が解決しようとする課題】
【０００４】
ところが、特許文献１のように磁石シートの磁力で吸着することにより、転倒を防止する薄型テレビジョンにあっては、薄型テレビジョンが支持台に載置される際、磁石シートが意図する箇所に接近するまでに表示部が支持台に吸着されるため、意図する箇所に載置するのが困難であり、また、一旦吸着されると、磁力に打ち勝って表示部を取外すのに大きな力が必要であるという問題があり、また、前記磁石シートは表示部の外部に出ているため、異物が磁石シートに付着し易く、薄型テレビジョンが繰返し取外しされる場合、磁石シートの吸着力が悪くなるという問題もあった。
【０００５】
また、転倒防止具で転倒を防止する薄型テレビジョンにあっては、転倒防止機能が小さいし、また、転倒防止具の螺子止作業に時間と手間とがかかり、改善策が要望されていた。
【０００６】
本発明は斯かる事情に鑑みてなされたものであり、主たる目的は表示部を起立状態で支持するスタンドに、該スタンドを支持すべき支持体が備える転倒防止軸が嵌入される孔を設けることにより、薄型テレビジョンを意図する箇所に転倒を防止できるように簡易に載置することができる薄型テレビジョンを提供することにある。
【０００７】
また、他の目的は支持体と向合うべき面が外部に開放されている収容部をスタンドに設け、該収容部に磁石を固定することにより、スタンドを支持体と一体化でき、薄型テレビジョンの安定性を高めることができる薄型テレビジョンを提供することにある。
【０００８】
また、他の目的は磁石を、支持体と向合うべき面と離隔する方向への移動を可能とすることにより、薄型テレビジョンを簡易に取外すことができる薄型テレビジョンを提供することにある。
【０００９】
また、他の目的は磁石を磁力で固定する磁性部を収容部に設け、該磁性部及び磁石の間に、工具の差込みが可能な凹所を設けることにより、磁石による吸着をより一層簡易に解除でき、薄型テレビジョンをより一層簡易に取外すことができる薄型テレビジョンを提供することにある。
【００１０】
また、他の目的は転倒防止軸が嵌入される孔の縁周りに磁石を固定することにより、磁力に影響されることなく転倒防止軸を孔に挿入することができる薄型テレビジョンを提供することにある。
【００１１】
また、他の目的は支持体の転倒防止軸に係止部を設け、該係止部に阻止部材を係止することにより、転倒防止軸が孔から抜出るのを阻止し、表示部が盗難されるのを防ぐことができる薄型テレビジョンを提供することにある。
【００１２】
また、他の目的は転倒防止軸の軸長方向と交差する方向へ延出する筒体と、該筒体内に長手方向への相対移動を可能に螺着した螺子軸とを磁石に設け、支持体の転倒防止軸に、磁石の前記軸長方向への移動を止める係止部を設けることにより、特別の阻止部材を用いることなく表示部が盗難されるのを防ぐことができるとともに、表示部の取外を簡易にできる薄型テレビジョンを提供することにある。
【課題を解決するための手段】
【００１３】
本発明に係る薄型テレビジョンは、画像表示面を有する表示部と、該表示部を起立状態で支持するスタンドとを備えた薄型テレビジョンにおいて、前記スタンドは、該スタンドを支持すべき支持体が備える転倒防止軸が嵌入される孔を有することを特徴とする。
【００１４】
この発明にあっては、薄型テレビジョンを支持体に載置する際、スタンドの孔に支持体の転倒防止軸を嵌入させることにより、薄型テレビジョンを意図する箇所に転倒を防止できるように簡易に載置することができ、しかも、転倒防止軸と該転倒防止軸が嵌入されている孔とで転倒を防止することができるため、スタンドを小型化でき、ひいては薄型テレビジョンの全体を小型化できる。
【００１５】
また、本発明に係る薄型テレビジョンは、前記スタンドは、前記支持体と向合うべき面が外部に開放されている収容部を有し、該収容部に磁石を固定してあることを特徴とする。
【００１６】
この発明にあっては、転倒防止軸と該転倒防止軸が嵌入されている孔とで転倒を防止することができ、さらに、磁性部を有する支持体の磁性部が磁石に吸着され、スタンドを支持体と一体化できるため、薄型テレビジョンの安定性を高めることができる。また、スタンドの収容部に磁石を収容してあるため繰返し取外しされる場合でも、磁石に異物が付着し難く、吸着力を保つことができる。
【００１７】
また、本発明に係る薄型テレビジョンは、前記磁石は前記面と離隔する方向への移動を可能にしてあることを特徴とする。
【００１８】
この発明にあっては、磁石を支持体と離隔する方向へ移動させることができるため、薄型テレビジョンを取外す場合、磁石を移動させることにより磁石による吸着を解除でき、薄型テレビジョンを簡易に取外すことができる。
【００１９】
また、本発明に係る薄型テレビジョンは、前記収容部は前記磁石を磁力で固定する磁性部を有し、該磁性部及び前記磁石の間に、工具の差込みが可能な凹所を設けてあることを特徴とする。
【００２０】
この発明にあっては、磁性部及び磁石の間の凹所に工具を差込み、該工具を操作することにより磁石を移動させることができるため、薄型テレビジョンを取外す場合、磁石による吸着をより一層簡易に解除でき、薄型テレビジョンをより一層簡易に取外すことができる。
【００２１】
また、本発明に係る薄型テレビジョンは、前記磁石は前記孔の縁周りに固定してあることを特徴とする。
【００２２】
この発明にあっては、転倒防止軸の孔への挿入箇所と、磁石の吸着箇所とが等しいため、磁力に影響されることなく転倒防止軸を孔に挿入することができ、薄型テレビジョンをより一層容易に取付けることができる。
【００２３】
また、本発明に係る薄型テレビジョンは、前記スタンドが載置される載置板部及び該載置板部から前記表示部側へ立上がり、且つその軸長方向の中途に係止部が設けられている転倒防止軸を有し、前記スタンドを支持する支持体を備え、前記係止部に係止され、前記転倒防止軸が前記孔から抜出るのを阻止する阻止部材を備えることを特徴とする。
【００２４】
この発明にあっては、転倒防止軸が孔から抜出るのを阻止部材が阻止しているため、表示部が盗難されるのを防ぐことができる。
【００２５】
また、本発明に係る薄型テレビジョンは、前記磁石は、前記転倒防止軸の軸長方向と交差する方向へ延出されている筒体と、該筒体内に長手方向への相対移動を可能に螺着されている螺子軸とを有し、前記転倒防止軸は前記磁石の前記軸長方向への移動を止める係止部を有することを特徴とする。
【００２６】
この発明にあっては、転倒防止軸の係止部に磁石が係止され、転倒防止軸が孔から抜出るのを磁石が阻止しているため、特別の阻止部材を用いることなく表示部が盗難されるのを防ぐことができ、また、螺子軸を回し操作することにより、筒体を有する磁石を転倒防止軸の軸長方向と交差する方向へ相対移動させて転倒防止軸を抜出し可能にできるため、表示部の取外を簡易にできる。
【発明の効果】
【００２７】
以上詳述したように本発明によれば、スタンドの孔に転倒防止軸を嵌入させることにより、薄型テレビジョンを意図する箇所に転倒を防止できるように簡易に載置することができ、しかも、スタンドを小型化、ひいては薄型テレビジョンの全体を小型化できる。
【００２８】
また、本発明によれば、磁性部を有する支持体の磁性部が磁石に吸着され、スタンドを支持体と一体化できるため、薄型テレビジョンの安定性を高めることができる。また、スタンドの収容部に磁石を収容してあるため繰返し取外しされる場合でも、磁石に異物が付着し難く、吸着力を保つことができる。
【００２９】
また、本発明によれば、薄型テレビジョンを取外す場合、磁石を移動させることにより磁石による吸着を解除でき、薄型テレビジョンを簡易に取外すことができる。
【００３０】
また、本発明によれば、磁性部及び磁石の間の凹所に差込まれる工具により磁石を移動させることができるため、薄型テレビジョンを取外す場合、磁石による吸着をより一層簡易に解除でき、薄型テレビジョンをより一層簡易に取外すことができる。
【００３１】
また、本発明によれば、磁石の磁力に影響されることなく転倒防止軸を孔に挿入することができ、薄型テレビジョンをより一層容易に取付けることができる。
【００３２】
また、本発明によれば、転倒防止軸が孔から抜出るのを阻止部材により阻止することができ、表示部が盗難されるのを防ぐことができる。
【００３３】
また、本発明によれば、特別の阻止部材を用いることなく表示部が盗難されるのを防ぐことができ、また、螺子軸を回し操作することにより、筒体を有する磁石を転倒防止軸の軸長方向と交差する方向へ相対移動させて転倒防止軸を抜出し可能にでき、表示部の取外を簡易にできる。
【発明を実施するための最良の形態】
【００３４】
以下本発明をその実施の形態を示す図面に基づいて詳述する。
実施の形態１
図１は本発明に係る薄型テレビジョンの実施の形態１の構成を示す側面図である。図１に示した薄型テレビジョンは、テレビ画像を表示し、略直方体をなす表示部１と、該表示部１の下側に配置され、表示部１を起立状態で支持するスタンド２とを備える液晶テレビである。
【００３５】
表示部１は前側に画像表示面を有する液晶のパネルと、該パネルの後側に配置された拡散板等の光学シートと、バックライト部と、電源基板等のテレビ基板と、これらパネル等の部品を収容した筺体１ａとを備えており、バックライト部を構成するシャーシの後面下部で、且つ長手方向中央部にスタンド２が取着されている。
【００３６】
図２はスタンド２の構成を示す底面側の斜視図、図３はスタンド２の一部を拡大した背面図、図４は図３のIV−IV線の断面図、図５は図４のV −V 線の断面図、図６は図４のVI−VI線の断面図である。
【００３７】
スタンド２は、該スタンド２が載置される載置板部３１及び該載置板部３１の一面から前記表示部１側へ立上がる転倒防止軸３２を有し、スタンド２を支持する支持体３の前記載置板部３１に載置されるベース部２１、及び該ベース部２１の横方向へ離隔した２箇所から立上がる二つの脚部２２，２２を有し、脚部２２，２２の上端部が表示部１の後側に取着されている。
【００３８】
ベース部２１は、上壁及び該上壁の周縁に連なる周壁を有する逆皿形のベース部本体２１ａと、該ベース部本体２１ａの開放部を閉塞した底板２１ｂとを備え、上壁の内側に垂設された円柱形のボス２１ｃに雄螺子４により底板２１ｂが取外しを可能に結合され、内部を空洞の収容部２１ｄとしてあり、ベース部本体２１ａに開設された貫通孔２１ｅに脚部２２の下端部が嵌入固定されている。また、周壁の後側には収容部２１ｄに開放された挿脱口２１ｆが設けられている。
【００３９】
底板２１ｂは磁性板からなり、脚部２２，２２の下端と対向する二箇所に、収容部２１ｄに開放された第１の嵌入孔２３，２３が開設され、該嵌入孔２３，２３の内側縁に連なる筒部２４，２４が一体に設けられ、該筒部２４，２４の端面に環状の磁石５，５を吸着固定してある。また、筒部２４，２４の径方向両側は平坦状に欠除され、磁石５，５との間に、後記する工具の差込みが可能な二つの凹所２４ａ，２４ａが設けられている。また、底板２１ｂの嵌入孔２３，２３間には収容部２１ｄに開放された第２の嵌入孔２５，２５が開設され（図２参照）、該嵌入孔２５，２５の内側縁に連なる筒部２６，２６が筒部２４，２４と同様に一体に設けられている（図５参照）。
【００４０】
脚部２２，２２は略円筒形をなし、下端部内側に、径方向へ延出された複数の位置決め片２２ａが一体に設けてあり、挿脱口２１ｆ，２１ｆから収容部２１ｄに挿入される磁石５，５の吸着固定位置を決めることができるように構成されている。
【００４１】
図７は磁石５の構成を示す斜視図である。磁石５は一面と他面との磁極を異にする環状をなし、第１の嵌入孔２３と等径の孔を有する。また、周方向の一箇所に、径方向外方へ延出された非磁性の取っ手５０が設けられており、取っ手５０を把持して磁石５を挿脱口２１ｆに挿入／離脱することができるように構成されている。取っ手５０は一端に螺子部を有する軸からなり、磁石５に開設された螺子孔に螺着されている。また、磁石５は凹所２４ａ，２４ａに差込まれる工具の押込み操作により筒部２４の端面と離隔する方向へ移動することが可能になっている。
【００４２】
図８は支持体３の構成を示す正面図、図９は支持体３の構成を示す底面図である。支持体３はベース部２１より大形の載置板部３１と、磁性を有し、第１及び第２の嵌入孔２３，２５に対応する四つの転倒防止軸３２とを有する。転倒防止軸３２は先端部が磁石５内に嵌入される長さに形成され、磁石５の磁力により転倒防止軸３２の先端部が吸着されるように構成されている。また、転倒防止軸３２の先端は円錐状に面取りされている。
【００４３】
以上のように構成された薄型テレビジョンは、スタンド２に第１及び第２の嵌入孔２３，２５を設けてあり、第１の嵌入孔２３に連なる筒部２４に磁石５を吸着固定してあるため、薄型テレビジョンを支持体３に載置する際、スタンド２の第１及び第２の嵌入孔２３，２５に転倒防止軸３２を嵌入させることにより、薄型テレビジョンを意図する箇所に転倒を防止できるように簡易に載置することができる。支持体３に載置された薄型テレビジョンは、スタンド２の嵌入孔２３，２５に転倒防止軸３２が嵌入され、該転倒防止軸３２が磁石５に吸着されるため、スタンド２と支持体３とを一体化でき、薄型テレビジョンの転倒を防ぐことができる。また、磁石５はスタンド２の収容部２１ｄに収容され、スタンド２により被覆されているため、薄型テレビジョンが取外しされた際、磁石５に異物が付着し難い。また、スタンド２には複数の嵌入孔２３，２５が開設され、支持体３は複数の転倒防止軸３２を有するため、支持体３に対してスタンド２が回転するのを阻止することができる。
【００４４】
図１０、図１１は磁石５を移動させる際の動作を示す説明図である。薄型テレビジョンの載置場所を変える場合、磁石５を支持体３と離隔する方向へ移動させることにより、磁石５が転倒防止軸３２を吸着する吸着力を弱める。図１２は工具の構成を示す斜視図である。工具６は一面に対し、他面が傾斜する二つの傾斜爪片６１，６１を有する略フォーク形をなし、傾斜爪片６１，６１をスタンド２の挿脱口２１ｆから収容部２１ｄ内の凹所２４ａ，２４ａに差込み、傾斜爪片６１，６１の傾斜面により磁石５を筒部２４の端面と離隔する方向へ移動させる。この磁石５の移動により、転倒防止軸３２に加わる吸着力を弱めることができ、転倒防止軸３２を嵌入孔２３から容易に抜き出すことができる。
【００４５】
実施の形態２
図１３は本発明に係る薄型テレビジョンの他の構成を示す要部の断面図、図１４は図１３のXIV−XIV線の断面図である。この薄型テレビジョンは、支持体３を備え、第１の嵌入孔２３に嵌入される転倒防止軸３２の軸長方向の中途に、径方向に貫通する貫通孔からなる係止部３３を設け、該係止部３３に阻止部材７を挿嵌係止することにより転倒防止軸３２が嵌入孔２３から抜出るのを阻止するように構成したものである。
【００４６】
阻止部材７は非磁性のピンからなり、係止部３３に挿嵌されることにより磁石５の他面と接触し、磁石５の移動を防いでいる。また、阻止部材７は抜出しが可能であり、阻止部材７を抜出すことにより、磁石５を実施の形態１と同様に移動させることができる。
【００４７】
この薄型テレビジョンにあっては、阻止部材７が磁石５の移動を防ぎ、転倒防止軸３２が嵌入孔２３から抜出るのを阻止しているため、表示部１が盗難されるのを防ぐことができる。
その他の構成及び作用は実施の形態１と同様であるため、同様の部品については同じ符号を付し、その詳細な説明及び作用効果の説明を省略する。
【００４８】
実施の形態３
図１５は本発明に係る薄型テレビジョンの他の構成を示す要部の断面図、図１６は磁石５の構成を示す斜視図、図１７は磁石を移動させた状態の断面図である。この薄型テレビジョンは、実施の形態２のように阻止部材７を設ける代わりに、転倒防止軸３２に磁石５を係止し、該磁石５を転倒防止軸３２の径方向へ移動可能とすることにより、転倒防止軸３２が嵌入孔２３から抜出るのを阻止するように構成したものである。
【００４９】
転倒防止軸３２は軸長方向の中途から径方向へ窪む二つの溝状の係止部３４が設けられている。磁石５は略Ｕ字形をなし、湾曲部に螺子孔５ａが開設され、該螺子孔５ａに筒体５１が螺着され、該筒体５１内に螺子軸５２が長手方向への相対移動を可能に螺着されている。
【００５０】
筒体５１は一端部に雄螺子部５１ａ及び雌螺子部５１ｂを有し、雄螺子部５１ａが磁石５の螺子孔５ａに螺着され、取っ手を構成している。
【００５１】
螺子軸５２は一端部に雄螺子部５２ａを有し、他端部に工具係止部５２ｂを有し、雄螺子部５２ａが雌螺子部５１ｂに螺着され、該螺子軸５２を工具等で回し操作することにより螺子軸５２の一端が係止部３４に当接した状態で筒体５１が転倒防止軸３２と離隔する方向へ相対移動するように構成されている。
【００５２】
この薄型テレビジョンにあっては、筒体５１を把持し、磁石５をスタンド２の挿脱口２１ｆから収容部２１ｄに挿入し、該磁石５を転倒防止軸３２の係止部３４に差込み係止することにより、転倒防止軸３２の軸長方向へ磁石５が移動するのを防ぎ、転倒防止軸３２が嵌入孔２３から抜出るのを阻止することができるため、表示部１が盗難されるのを防ぐことができる。
【００５３】
薄型テレビジョンの載置場所を変える場合、螺子軸５２を工具で回し操作することにより、該螺子軸５２に対して筒体５１が非回転で軸長方向へ移動し、該筒体５１が螺着されている磁石５が転倒防止軸３２の径方向外方へ移動し、磁石５の係止部３４での係止が図１７のように解除され、転倒防止軸３２を嵌入孔２３から抜出すことが可能になる。この際、磁石５は転倒防止軸３２と離隔するため、磁石５が転倒防止軸３２を吸着する吸着力が弱くなり、転倒防止軸３２を嵌入孔２３から容易に抜出すことができる。
その他の構成及び作用は実施の形態１と同様であるため、同様の部品については同じ符号を付し、その詳細な説明及び作用効果の説明を省略する。
【００５４】
実施の形態４
図１８は本発明に係る薄型テレビジョンの他の構成を示す要部の断面図である。この薄型テレビジョンは、実施の形態１−３が備える磁石５をなくし、スタンド２の嵌入孔２３，２５に支持体３の転倒防止軸３２が夫々嵌入されることにより、薄型テレビジョンの転倒を防ぐことができるように構成したものである。
【００５５】
スタンド２の底板２１ｂには横方向に離隔して複数の嵌入孔２３，２５が開設され、該嵌入孔２３，２５の内側縁に連なる筒部２４，２５が一体に設けられている。
【００５６】
この実施の形態にあっては、薄型テレビジョンを載置する際、支持体３の転倒防止軸３２を嵌入孔２３，２５に嵌入することにより意図する箇所に容易に載置することができる。
その他の構成及び作用は実施の形態１と同様であるため、同様の部品については同じ符号を付し、その詳細な説明及び作用効果の説明を省略する。
【００５７】
実施の形態５
図１９は本発明に係る薄型テレビジョンが壁掛けされる場合の説明図である。この薄型テレビジョンは、実施の形態１−４の構成において、支持体３が壁体に取着され、該支持体３の載置板部３１にスタンド２が対接し、該スタンド２の嵌入孔２３，２５に転倒防止軸３２が夫々嵌入されることにより、壁掛けされる。
その他の構成及び作用は実施の形態１と同様であるため、同様の部品については同じ符号を付し、その詳細な説明及び作用効果の説明を省略する。
【００５８】
尚、以上説明した実施の形態では、支持体３を備える構成としたが、その他、支持体３は表示部１、スタンド２の大きさ等に対応して付属品としないでもよい。この場合、薄型テレビジョンが載置される場所に応じて支持体３を用いる。
【００５９】
また、以上説明した実施の形態では、複数の転倒防止軸３２を有する構成としたが、その他、転倒防止軸３２は一つであってもよい。この場合、転倒防止軸３２の断面形状を角形等の非円形とすることにより、支持体３に対してスタンド２が回転するのを阻止することができる。
【００６０】
また、以上説明した実施の形態では、転倒防止軸３２が嵌入される嵌入孔２３が開設されている箇所に磁石５を設けたが、その他、支持体３と向合うべき面で前記嵌入孔２３と離隔した箇所に貫通孔、凹所等の収容部を設け、該収容部に磁石５を保持する構成としてもよく、磁石５と転倒防止軸３２との位置関係、及び個数は特に制限されない。
【００６１】
また、磁石５は磁力により吸着固定する他、接着剤、埋込等により固定してもよい。また、実施の形態１−２の磁石５は実施の形態３のように略Ｕ字形をなす構成であってもよい。
【００６２】
また、スタンド２は二つの脚部２２，２２を有する構成である他、一つの脚部２２を有する構成であってもよい。
【００６３】
また、実施の形態２において、磁石５をなくし、転倒防止軸３２が嵌入孔２３から抜出るのを阻止部材７が阻止する構成としてもよい。この場合においても、表示部１が盗難されるのを防ぐことができる。
【００６４】
また、本発明に係る薄型テレビジョンは液晶テレビジョンである他、プラズマテレビジョンであってもよい。
【図面の簡単な説明】
【００６５】
【図１】本発明に係る薄型テレビジョンの実施の形態１の構成を示す側面図である。
【図２】本発明に係る薄型テレビジョンのスタンドの構成を示す底面側の斜視図である。
【図３】本発明に係る薄型テレビジョンのスタンドの一部を拡大した背面図である。
【図４】図３のIV−IV線の断面図である。
【図５】図４のV −V 線の断面図である。
【図６】図４のVI−VI線の断面図である。
【図７】本発明に係る薄型テレビジョンの磁石の構成を示す斜視図である。
【図８】本発明に係る薄型テレビジョンが用いる支持体の構成を示す正面図である。
【図９】本発明に係る薄型テレビジョンが用いる支持体の構成を示す底面図である。
【図１０】本発明に係る薄型テレビジョンの磁石を移動させる際の動作を示す説明図である。
【図１１】本発明に係る薄型テレビジョンの磁石を移動させる際の動作を示す説明図である。
【図１２】本発明に係る薄型テレビジョンが用いる工具の構成を示す斜視図である。
【図１３】本発明に係る薄型テレビジョンの他の構成を示す要部の断面図である。
【図１４】図１３のXIV−XIV線の断面図である。
【図１５】本発明に係る薄型テレビジョンの他の構成を示す要部の断面図である。
【図１６】本発明に係る薄型テレビジョンの磁石の構成を示す斜視図である。
【図１７】本発明に係る薄型テレビジョンの磁石を移動させた状態の断面図である。
【図１８】本発明に係る薄型テレビジョンの他の構成を示す要部の断面図である。
【図１９】本発明に係る薄型テレビジョンが壁掛けされる場合の説明図である。
【符号の説明】
【００６６】
１    表示部
２    スタンド
２１ｄ  収容部
２３  嵌入孔（孔）
２４  筒部（磁性部）
２４ａ  凹所
３    支持体
３１  載置板部
３２  転倒防止軸（磁性部）
３３  係止部
３４  係止部
５    磁石
５１  筒体
５２  螺子軸
７    阻止部材
【図１】
2008294979.tif 000003
【図２】
2008294979.tif 000004
【図３】
2008294979.tif 000005
【図４】
2008294979.tif 000006
【図５】
2008294979.tif 000007
【図６】
2008294979.tif 000008
【図７】
2008294979.tif 000009
【図８】
2008294979.tif 000010
【図９】
2008294979.tif 000011
【図１０】
2008294979.tif 000012
【図１１】
2008294979.tif 000013
【図１２】
2008294979.tif 000014
【図１３】
2008294979.tif 000015
【図１４】
2008294979.tif 000016
【図１５】
2008294979.tif 000017
【図１６】
2008294979.tif 000018
【図１７】
2008294979.tif 000019
【図１８】
2008294979.tif 000020
【図１９】
2008294979.tif 000021